(57)【要約】【課題】通常演奏と消音演奏に切り換えて演奏可能なアコースティックピアノの消音演奏において、通常演奏時における押鍵のタッチ感を精度良く再現できるアクションを提供することを目的とする。【解決手段】消音演奏時には、鍵３に対してハンマー作動部４を非接続するために、伝達切り換え機構部５における回転レバー２２を回転させてウイッペン１０を押し上げ、キャプスタンスクリュー７とハンマー作動部４におけるウイッペン１０を離間させる。また、荷重切り換え機構部６におけるＬ字金具３４を回転して突揚棒３３及びリフティングレール３２を下げ、鍵３の上面に対してウェイトレバー２８の先端に備えた回転ローラ３０を当接させ、演奏者の押鍵動作に伴って、ウェイトレバー２８を上下に揺動させる。【選択図】  図１
2004264567.tif 000002
【特許請求の範囲】
【請求項１】
弦を打弦するハンマーを回動するハンマー作動部と、鍵に対して該ハンマー作動部の接続と非接続とを切り換える伝達切り換え手段とを備え、
演奏者の前記鍵の押鍵動作に伴って、前記ハンマー作動部を作動し弦を打弦して演奏する通常演奏と、該ハンマー作動部を作動せずに演奏する消音演奏とに切り換えて演奏可能なピアノのアクションであって、
前記鍵が揺動する支点を境に演奏側とは反対側上部において該鍵の長さ方向に沿って該鍵毎に配置されると共に、一端側が回転自在に回転軸に係合し、他端側が鍵の上下方向に揺動自在に固定され、該他端側が該回転軸を支点とする自重で該鍵の上面に当接し、該押鍵動作に抗する荷重をかけるように構成されたウェイトレバーと、
前記ウェイトレバーの荷重切り換え手段を備える、
ことを特徴とするアクション。
【請求項２】
前記荷重切り換え手段が、前記鍵と前記ウェイトレバーとの当接と離間を切り換えることを特徴とする請求項１に記載のアクション。
【請求項３】
前記荷重切り換え手段が、前記鍵と前記ウェイトレバーの前記他端側との当接位置の移動を行うことを特徴とする請求項１又は請求項２に記載のアクション。
【請求項４】
前記伝達切り換え手段と前記荷重切り換え手段は、互いに接続され、同時に動作することを特徴とする請求項１乃至請求項３の何れか記載のアクション。
【請求項５】
前記ウェイトレバーは、前記他端側に回動自在な回転ローラを備え、該回転ローラを介して前記鍵の上面に当接することを特徴とする請求項１乃至請求項４の何れか記載のアクション。
【請求項６】
前記ウェイトレバーの前記他端側との当接位置の移動は、前記鍵の長さ方向に移動させることを特徴とする請求項３乃至請求項５の何れか記載のアクション。
【請求項７】
前記伝達切り換え手段は、前記ハンマー作動部の下方に回転軸を中心に回転する略楕円状の断面を有する回転体を備え、
外部から操作して前記回転体を回転させることにより、該回転体の外周面を前記ハンマー作動部に当接させて該ハンマー作動部を前記鍵の揺動方向に移動させ、該鍵に対して該ハンマー作動部の接続と非接続とを切り換えることを特徴とする請求項１乃至請求項６の何れか記載のアクション。
【発明の詳細な説明】
【０００１】
【発明の属する技術分野】
本発明は、通常演奏と消音演奏に切り換えて演奏可能なピアノのアクションに関する。
【０００２】
【従来の技術】
従来、アコースティックピアノに電子音源を組み合わせて、通常のピアノの演奏以外に、電子音源による演奏を可能にしたピアノが知られている。例えば鍵の押鍵動作をハンマーに伝達するアクションを鍵から離脱させたり係合させたりする切り換え手段を備え、電子音源による演奏の際には、押鍵による動作がハンマーに伝達されないようにして、打弦動作による通常の打弦音を止めることができる（所謂、消音演奏である）ピアノが知られている。これによって、打弦音を止めて電子音源からの演奏音をヘッドホーンなどで聞きながら演奏すれば、外部に演奏音が漏れず、集合住宅や住宅密集地域での演奏が自由にできる。
【０００３】
また、消音演奏時において演奏者が押鍵動作をする際に、アクションと鍵の係合を離脱させるとともに、演奏者の指に通常演奏時と同様のタッチ感を得るために、アクションを模した荷重を健に加えるようにしたものがある。
例えば、消音演奏時には、鍵と弦との間に組み込まれハンマーを回動するアクションをウイペンリフター（所謂、伝達切り換え手段である）によって鍵から離し、アクションを模した荷重を鍵に加えるように復帰スプリングを鍵の上面に弾性的に当接させ、演奏者が、この復帰スプリングのバネ圧による付勢力に抗して鍵を押し、鍵を離すと鍵が復帰スプリングのバネ圧によって元の位置に復帰するものがある。そして消音演奏の場合には、アクションが作動するタッチ感に代えて、復帰スプリングに基づくタッチ感に切り換える鍵盤楽器がある。（例えば、特許文献１参照）
【０００４】
【特許文献１】
特開平８−１７３７８３号公報（第３−８頁、第１−２図）
【０００５】
【発明が解決しようとする課題】
しかしながら、特許文献１に開示された鍵盤楽器によれば、消音演奏時において、鍵の上面に弾性的に当接させた復帰スプリングのバネ圧を鍵に加えるものとしているため、押鍵における鍵の変位量にともなってバネ圧が変化し、通常演奏時のタッチ感を精度良く再現できないという問題があった。
【０００６】
また、演奏者の押鍵動作に伴って、スプリングを繰り返して伸縮すると、バネ圧が老朽化して損なわれる虞があるという問題があった。
本発明は、こうした問題に鑑みなされたものであり、通常演奏と消音演奏に切り換えて演奏可能なアコースティックピアノの消音演奏において、通常演奏時と同様に押鍵のタッチ感を精度良く再現できるアクションを提供することを目的とする。
【０００７】
【課題を解決するための手段及び発明の効果】
かかる目的を達成するためになされた請求項１記載の発明は、弦を打弦するハンマーを回動するハンマー作動部と、鍵に対して該ハンマー作動部の接続と非接続とを切り換える伝達切り換え手段とを備え、演奏者の前記鍵の押鍵動作に伴って、前記ハンマー作動部を作動し弦を打弦して演奏する通常演奏と、該ハンマー作動部を作動せずに演奏する消音演奏とに切り換えて演奏可能なピアノのアクションであって、前記鍵が揺動する支点を境に演奏側とは反対側上部において該鍵の長さ方向に沿って該鍵毎に配置されると共に、一端側が回転自在に回転軸に係合し、他端側が鍵の上下方向に揺動自在に固定され、該他端側が該回転軸を支点とする自重で該鍵の上面に当接し、該押鍵動作に抗する荷重をかけるように構成されたウェイトレバーと、前記鍵と前記ウェイトレバーの荷重切り換え手段を備えることを特徴とする。
【０００８】
請求項１に記載のアクションによれば、鍵に対してハンマー作動部の接続と非接続とを切り換える伝達切り換え手段と、鍵が揺動する支点を境に演奏側とは反対側上部において鍵の長さ方向に沿って鍵毎に配置され、一端側が回転自在に回転軸に係合し他端側が回転軸を支点とする自重で鍵の上面に当接して鍵の押鍵動作に抗する荷重をかけるウェイトレバーと、ウェイトレバーの荷重切り換え手段を備えているので、消音演奏時には、鍵に対してハンマー作動部を非接続に切り換えるとともに、鍵に対してウェイトレバーの荷重を加え、通常演奏時と同様に押鍵のタッチ感を精度良く再現できる。また、請求項１に記載のアクションによれば、ウェイトレバーは、一端側が回転自在に回転軸に係合して他端側は自重で鍵の上面に当接し、演奏者が鍵を押した直後は鍵の動きに連動して上下に揺動し、演奏者が鍵を押しきって鍵の運動が停止するとその後は鍵から離れて単独に自重によって慣性運動するので、グランドピアノのハンマーの運動と近似し、グランドピアノの押鍵動作に近いタッチ感を得ることができる。また、請求項１に記載のアクションによれば、消音演奏時に鍵に加えられる荷重がウェイトレバーの自重であるので、演奏者が押鍵動作を長期間にわたって繰り返しても、鍵に加えられる荷重が変化することなく、安定したタッチ感を得ることができる。
【０００９】
また、請求項１に記載のアクションは、請求項２に記載の発明のように、前記荷重切り換え手段が、前記鍵と前記ウェイトレバーとの当接と離間を切り換えて、鍵にウェイトレバーを当接させてウェイトレバーの荷重を加えたり、鍵にウェイトレバーを離間させてウェイトレバーの荷重を除去したりすることができる。
【００１０】
また、請求項１又は請求項２に記載のアクションは、請求項３に記載の発明のように、前記荷重切り換え手段が、前記鍵と前記ウェイトレバーの前記他端側との当接位置の移動を行って、ウェイウェイトレバーの他端側が鍵に当接する位置を可変して演奏者の押鍵動作におけるタッチ感を自在に調整できる。つまり、鍵とウェイトレバーの他端とが当接する位置を変えると、鍵がウェイトレバーから受ける荷重が変化するので、演奏者の押鍵動作におけるタッチ感を調整できる。
【００１１】
また、請求項１乃至請求項３の何れか記載のアクションは、請求項４に記載の発明のように、前記伝達切り換え手段と前記荷重切り換え手段は、互いに接続され、同時に動作するので、消音演奏時及び通常演奏時における伝達切り換え手段と荷重切り換え手段の操作が容易にできる。
【００１２】
次に、請求項５に記載の発明は、請求項１乃至請求項４の何れか記載のアクションにおいて、前記ウェイトレバーは、前記他端側に回動自在な回転ローラを備え、該回転ローラを介して前記鍵の上面に当接することを特徴とする。
請求項５に記載のアクションによれば、ウェイトレバーの他端側には、回動自在な回転ローラを備えているので、消音演奏時には鍵の上面に回転ローラを介してウェイトレバーの荷重を加えられ、ウェイトレバーと鍵の当接部に摩擦力が加わることがなく、演奏者の押鍵動作に伴って鍵がスムーズに動作して良好なタッチ感を得ることができる。
【００１３】
また、請求項３乃至請求項５の何れか記載のアクションは、請求項６に記載の発明のように、前記ウェイトレバーの前記他端側との当接位置の移動は、前記鍵の長さ方向に移動させることにより、ウェイトレバーの他端側が鍵に当接する位置を可変して演奏者の押鍵動作におけるタッチ感を自在に調整できる。つまり、鍵の長さ方向においてウェイトレバーの他端が当接する位置を変えると、鍵がウェイトレバーから受ける荷重の作用点と鍵の揺動する支点との距離が変化するので、演奏者の押鍵動作におけるタッチ感を調整できる。
【００１４】
また、請求項１乃至請求項６の何れか記載のアクションは、請求項７に記載の発明のように、前記伝達切り換え手段は、前記ハンマー作動部の下方に回転軸を中心に回転する略楕円状の断面を有する回転体を備え、外部から操作して前記回転体を回転させることにより、該回転体の外周面を前記ハンマー作動部に当接させて該ハンマー作動部を前記鍵の揺動方向に移動させ、該鍵に対して該ハンマー作動部の接続と非接続とを切り換えることにより、回転体の外周面をハンマー作動部に当接させてハンマー作動部を鍵の揺動方向に移動させ、鍵に対してハンマー作動部の接続と非接続とを切り換えることができる。
【００１５】
【発明の実施の形態】
（実施の形態１）
以下、本発明の実施形態１を図面と共に説明する。図１は、本発明が適用された実施形態１のグランドピアノにおけるアクションの構成を表す側面図、図２は同実施形態１のウェイトレバーの近傍を表す斜視図、図３は同実施形態１の伝達切り換え機構部の構成を表す斜視図である。
【００１６】
図１において、アクション１は、弦を打弦するハンマー２を回動するハンマー作動部４と、鍵３に対してハンマー作動部４の接続と非接続とを切り換える伝達切り換え機構部５と、鍵３の長さ方向に沿って鍵毎に配置され、鍵３に荷重をかけるように構成されたウェイトレバー２８と、鍵３に対してウェイトレバー２８の他端側（開放端側）の当接と離間とを切り換える荷重切り換え機構部６とを備えている。尚、伝達切り換え機構部５は本発明の伝達切り換え手段に相当し、荷重切り換え機構部６は本発明の荷重切り換え手段に相当する。
【００１７】
鍵３は、ピアノ１台あたり８８鍵設置され、筬中２４を支点に揺動できるように設置されている。この鍵３は図中記載の手前側（所謂、演奏側である）を押鍵すると鍵３の図中記載の後側（所謂、筬中２４を境に演奏側と反対側である）が上昇して、その押鍵動作をハンマー作動部４に伝達する。
【００１８】
次に、ハンマー作動部４は、鍵３が押されると上昇するキャプタンスクリュー７と、ウイッペンレンジ８を介してウイッペンレール９に回動可能に支持され、キャップスタンスクリュー７の上昇によって上向きに回転するウイッペン１０と、その先端部に長孔（以下、「ジャック案内孔」と称す）１１を有し、ウイッペンの１０上昇によってウイッペン１０上方の支柱１０ａの先端に回転可能に支持されたレピティションレバー１２と、ウイッペン１０の先端に回転可能に連結され、その上端部（以下、「ハンマー突き上げ部と称す」）がレピティションレバー１２のジャック案内孔１１の内部に位置し、レギュレーティング当接部１４ａがレギュレーティングボタン１３に当接するまでウイッペン１０と共に上昇するジャック１４と、レピティションレバー１２の上面に当接し、ジャック１４のハンマー突き上げ部に突き上げられるとレピティションレバー１２の上面から離間するシャンクローラ１５とを備え、ハンマー２を回動して弦を打弦する。
【００１９】
ハンマー２は、シャンクフレンジ１６を介してシャンクレール１７に回動可能に支持されシャンクローラ１５が突き上げられると上向きに回動するハンマーシャンク１８と、ハンマーシャンク１８の先端に装着されたハンマーヘッド１９とを備えている。
【００２０】
次に、伝達切り換え機構部５は、ハンマー作動部４におけるウイッペン１０の下方に配置され、回転軸２０を中心に回転する略楕円状の断面を有し８８鍵に沿って形成された回転体２とを備えている。
また、伝達切り換え機構部５は、図４に表したように、回転体２１の回転軸２０がグランドピアノの側板７５を突き出し、この回転軸２０の端部に回転レバー２２が固定されている。また回転レバー２２の先端は、コントロールワイヤ６９ａの一端が接続されている。そして、コントロールワイヤ６９ａは、固定部材６９ｃを介してグランドピアノの側板に固定されたチューブ９５ｄに収納されており、他端が図１に表したように、Ｌ字金具３４に接続されている。そして、Ｌ字金具３４をＡ方向に回転させると回転レバー２２がＱ方向に回転し、Ｌ字金具３４をＡ方向に対して逆方向に回転させると回転レバー２２がＱ方向に対して逆方向に回転するように構成されている。
【００２１】
そして、伝達切り換え機構部５は、図１に表したように、回転レバー２２を上下方向になるように回転させると、回転体２１の楕円頂部がハンマー作動部４におけるウイッペン１０の底面に当接してウイッペン１０を上方に押し上げ（所謂、ハンマー作動部４が押し上げられることになる）、ハンマー作動部４におけるウイッペン１０とキャプスタンスクリュー７が離間し、鍵３に対してハンマー作動部４が非接続になるように構成されている。
【００２２】
また、伝達切り換え機構部５は、回転レバー２２を水平方向になるように回転させると、ウイッペン１０がウイッペンレンジ８を介して下向きに回動し（所謂、ハンマー作動部４が下げられることになる）、回転体２１の楕円頂部がハンマー作動部４におけるウイッペン１０の底面に対して離間し、鍵３に対してハンマー作動部４が接続するように構成されている。
【００２３】
次に、ウェイトレバー２８は、ピアノ本体に固定され筬中２４の上方に位置するストッパーレール２５にネジ止めされたフレンジ２７と、回転軸２６を介して一端側が回動自在に係合し、他端側が鍵３の上下方向に揺動するように構成されている。また、ウェイトレバー２８の他端側の下部には、さらに後側に延びる延長ロッド２９と、延長ロッド２９の先端に回動自在に付設された回転ローラ３０とが固定されている。また、ウェイトレバー２８の側面にはウェイトレバー２８の重量を調整するために鉛からなる錘３１が埋め込まれている。また、回転ローラ３０が接する鍵３の上面には、回転ローラ３０と鍵３との接触音を低減するためのフェルト３８が設置されている。
【００２４】
次に、荷重切り換え機構部６は、ウェイトレバー２８の下に配置され複数のウェイトレバー２８を持ち上げるための、内部が空洞になった長尺状のリフティングレール３２と、リフティングレール３２を上下方向に移動させる突揚棒３３と、一端側で突揚棒３３を支持し、角部を回転軸３４ａに係合して回転するＬ字金具３４とを備えている。
【００２５】
また、Ｌ字金具３４の他端には、Ｌ字金具３４を後側に付勢するコイルスプリング６５ｂと、このコイルスプリング６５ｂによる付勢力に抗してＬ字金具３４を手前側に索引するためのワイヤ６５ａとが接続されている。そして、ワイヤ６５ａは、一端が固定部材６５ｃを介してグランドピアノの側板に固定されたチューブ６５ｄに収納されており、チューブ６５ｄの他端に設けられた図示しない操作レバーによって所定量索引できるようにされている。
【００２６】
また、図２に示すように、リフティングレール３２は、鍵３の配列方向と同方向に設けられたリフティングレバー３５によって両端及び中間数カ所を固定されている。尚、リフティングレバー３５は、ウェイトレバー２８と同様にストッパーレール２５にフレンジ２７を介して揺動可能に固定されている。リフティングレール３２の上面には、ウェイトレバー２８と接触する時の衝撃を和らげるために、フェルト３６が設けられている。また、リフティングレール３２の下部には、棚板７３を貫通して下方から上方に延びる突揚棒３３が備えられている。
【００２７】
また、突揚棒３３の上端にはリフティングレール３２と接触した時の衝撃を和らげるため、ゴムキャップ３７が取り付けられ、その中心部にはさらに突出する形で金属製のピン３９が設けられている。一方、リフティングレール３２側には、ピン３９をガイドするための孔（図示せず）が設けられている。
【００２８】
そして、荷重切り換え機構部６は、前述の図示しないハンドルを手前側に引くことにより、ワイヤ６５ａを索引し、Ｌ字金具３４を手前側（矢印Ａの方向）に回転させて突揚棒３３を上方に押し上げると、リフティングレール３２が上方に移動してウェイトレバー２８を押し上げ、鍵３上のフェルト３６にウェイトレバー２８の他端側に備えた回転ローラ３０が当接しなくなるように構成されている。一方、荷重切り換え機構部６は、図示しないハンドルを後側に戻すことにより、コイルバネ６５ｂの付勢力でＬ字金具３４を矢印Ａの逆方向に回転させて突揚棒３３を下方に下げると、リフティングレール３２が下方に移動してウェイトレバー２８を下げ、回転ローラ３０がフェルト３６を介して鍵３に当接してウェイトレバー２８の荷重が鍵３に加えられるように構成されている。
【００２９】
また、前述したように、アクション１は、伝達切り換え機構部５におけるの回転レバー２２とＬ字金具３４をコントロールワイヤ６９ａを介して接続しているので、ワイヤ６５ａを索引し、Ｌ字金具３４を手前側（矢印Ａの方向）に回転させると回転レバー２２がＱ方向に回転しＬ字金具３４を矢印Ａの逆方向に回転させてＬ字金具３４をＡ方向に対して逆方向に回転させると回転レバー２２がＱ方向に対して逆方向に回転する。つまり、アクション１は、前述の図示しないハンドルを手前側に引くことにより、荷重切り換え機構部６において回転ローラ３０が鍵３に離間するとともに伝達切り換え機構部５において鍵３に対してハンマー作動部４が接続し、また、図示しないハンドルを後側に戻すことにより、荷重切り換え機構部６において回転ローラ３０が鍵３に当接するとともに伝達切り換え機構部５において鍵３に対してハンマー作動部４が非接続になるように、伝達切り換え機構部５と荷重切り換え機構部６が同時に動作する。
【００３０】
以下に、前述の構成を有するアクション１を用いて、通常演奏及び消音演奏を行う際の動作を説明する。
通常演奏時には、演奏者の鍵３の押鍵動作に対してハンマー作動部４を接続するために、伝達切り換え機構部５における回転レバー２２の向きが図中の水平方向になるように回転レバー２２を回転し（破線で示す位置に回転する）、回転体２１の外周面がウイッペン１０に当接しないように離間させ、ウイッペン１０をキャプスタンスクリュー７に当接させる。
【００３１】
また、荷重切り換え機構部６におけるＬ字金具３４を矢印Ａの方向に回転して突揚棒３３、リフティングレール３２及びウェイトレバー２８を押し上げ、ウェイトレバー２８の先端に備えた回転ローラ３０を鍵３に対して離間させる。
これにより、アクション１は、鍵３に対してウェイトレバー２８の荷重が除かれるとともにハンマー作動部４が鍵３に接続され、演奏者が鍵３を押鍵すると、押鍵動作がキャプスタンスクリュー７を介してハンマー作動部４に伝達され、ハンマー２が弦を打弦する。
【００３２】
次に、消音演奏時には、鍵３に対してハンマー作動部４を非接続するために、伝達切り換え機構部５における回転レバー２２の向きが図中の上下方向になるように回転レバー２２を回転し（実線で示す位置に回転する）、ウイッペン１０を押し上げ、キャプスタンスクリュー７とウイッペン１０を離間させる。
【００３３】
また、荷重切り換え機構部６におけるＬ字金具３４を矢印Ａと逆方向に回転し、突揚棒３３、リフティングレール３２及びウェイトレバー２８を下げ、鍵３の上面に対してウェイトレバー２８の先端に備えた回転ローラ３０を当接させる。これにより、アクション１は、ウェイトレバー２８の他端側の回転ローラ３０が鍵３に当接し、鍵３に回転軸２６を支点とするウェイトレバー２８の荷重が加えられるとともに、ハンマー作動部４と鍵３とが非接続なる。そして、演奏者が鍵３を押した直後はウェイトレバー２８が鍵３の動きに連動して上下に揺動し、演奏者が鍵３を押しきって鍵３の運動が停止すると、その後は鍵３から離れて単独に慣性運動する。この結果、ウェイトレバー２８は、回動軸２６を軸にして矢印Ｃの方向に回動し、ストッパーレール２５に当たるまで回動する。そして、ウェイトレバー２８はストッパーレール２５に当たると、その後、ウェイトレバー２８は重力に引かれて矢印Ｃの逆方向に、回動軸２６を軸にして回転ローラ３０が鍵３に当接するまで回動する。
【００３４】
以下に、前記の構成を有する実施形態１のアクション１の作用効果を記載する。
実施形態１のアクション１によれば、鍵３が揺動する支点を境に演奏側（手前側）とは反対側（後側）上部において鍵３の長さ方向に沿って鍵３毎に、一端側が回転自在に回転軸２６に係合し、他端側が回転軸２６を支点とする自重で鍵３の上面に当接して鍵３に荷重を加えるとともに演奏者の押鍵動作に伴って揺動するウェイトレバー２８と、鍵３とウェイトレバー２８の他端側との当接と離間とを切り換える荷重切り換え機構部６とを備えているので、消音演奏時には、演奏者の押鍵動作に伴ってウェイトレバー２８を揺動させ、通常演奏時の押鍵動作に近似したタッチ感を得ることができる。
【００３５】
また、実施形態１のアクション１によれば、消音演奏時に、ウェイトレバー２８は、演奏者が鍵３を押した直後は鍵３の動きに連動して上下に揺動し、演奏者が鍵３を押しきって鍵３の運動が停止すると、その後は鍵３から離れて単独に慣性運動するので、ウェイトレバー２８の運動がグランドピアノのハンマー２の運動と近似し、グランドピアノの鍵押動作に近いタッチ感を得ることができる。
【００３６】
また、実施形態１のアクション１によれば、消音演奏時に、鍵３に加えられる荷重がウェイトレバー２８の自重なので、演奏者が押鍵動作を長期間にわたって繰り返しても、鍵３に加えられる荷重が損なわれることなく、安定したタッチ感を得ることができる。
【００３７】
また、実施形態１のアクション１によれば、回転レバー２２とＬ字金具３４がコントロールワイヤ６９ａを介して接続され、伝達切り換え機構部５と荷重切り換え機構部６を同時に動作させることができるので、通常演奏及び消音演奏の切り換え操作が容易にできる。
【００３８】
また、実施形態１のアクション１によれば、ウェイトレバー２８の他端側には、延長ロッド２９を介して回転ローラ３０を備え、消音演奏時には鍵３の上面に回転ローラ３０を介してウェイトレバー２８の荷重を加えているので、回転ローラ３０が鍵３に当接しても摩擦力が加わることがなく、演奏者の押鍵動作において、鍵３がスムーズに動作し、良好なタッチ感を得ることができる。
【００３９】
（実施の形態２）
次に、図４を用いて、本発明のアクションの、実施の形態２について説明する。
図４は、本発明が適用された実施の形態２の、アップライトピアノのアクション５１の構成を表す側面図である。
【００４０】
尚、本実施の形態３におけるアクション５１は、基本的に実施の形態１で表したアクション１と同じ構成なので共通と成る構成部分については実施の形態１と同一の符号を付与して詳細な説明は省略し、特徴と成る部分について説明する。
図４に示すように、アクション５１は、鍵３の押鍵動作に接続され弦を打弦するハンマー２を回動するハンマー作動部５２（ハンマー作動部５２の一部のみを図示する）と、鍵３に対してハンマー作動部５２の接続と非接続とを切り換える伝達切り換え機構部５と、鍵３の長さ方向に沿って鍵３毎に配置され、鍵３に荷重をかけるように構成されたウェイトレバー２８と、ウェイトレバー２８を鍵３の長さ方向に移動させる移動機構部６０とを備えている。尚、移動機構部６０は本発明の荷重切り換え手段に相当する。
【００４１】
鍵３は、ピアノ１台あたり８８鍵設置され、筬中２４を支点に揺動できるように設置されている。この鍵３は図中記載の手前側（所謂、演奏側である）を押鍵すると鍵３の図中記載の後側（所謂、筬中２４を境に演奏側の反対側である）が上昇して、その押鍵動作をハンマー作動部５２に伝達する。
【００４２】
次に、ハンマー作動部５２は、鍵３が押されると上昇するキャプスタンワイヤー５３及びキャプスタンボタン５４と、センターレールフレンジ５６を介してセンターレール５７に回転可能に支持され、キャプスタンワイヤー５３及びキャプスタンボタン５４の上昇によって上向きに回動するウイッペン５５、ウイッペンの５５上昇によってハンマー２を回動させるジャック５８から構成され、キャプスタンワイヤー５３及びキャプスタンボタン５４を介して演奏者の押鍵動作が伝達されると、ハンマー２を回動して弦を打弦する。
【００４３】
次に、伝達切り換え機構部５は、図３に表したように、回転体２１の回転軸２０がアップライトピアノの側板７５を突き出し、この回転軸２０の端部に回転レバー２２が固定され、この回転レバー２２をアップライトピアノの側板７５の外方から矢印Ｑ方向またはその反対方向に回転できるように構成されている。
【００４４】
そして、伝達切り換え機構部５は、図４に表したように、回転レバー２２を上下方向になるように回転させると、回転体２１の楕円頂部がハンマー作動部５２におけるウイッペン５５の底面に当接してウイッペン５５を上方に押し上げ（所謂、ハンマー作動部５２が押し上げられることになる）、ウイッペン５５とキャプスタンボタン５４とが離間し、鍵３に対してハンマー作動部５２が非接続になるように構成されている。
【００４５】
また、伝達切り換え機構部５は、回転レバー２２を水平方向になるように回転させると、ウイッペン５５がセンターレールフレンジ５６を介して下向きに回動し（所謂、ハンマー作動部５２が下げられることになる）、回転体２１の楕円頂部がハンマー作動部５２におけるウイッペン５５の底面に対して離間するとともにウイッペン５５とキャプスタンボタン５４とが当接し、鍵３に対してハンマー作動部５２が接続するように構成されている。
【００４６】
次に、ウェイトレバー２８は、筬中２４の上方に位置するストッパーレール２５にネジ止めされたフレンジ２７と回転軸２６を介して一端側が回動自在に係合し、他端側が鍵３の上下方向に揺動するように構成されている。また、ウェイトレバー２８は、板状のレール支持部材５９によって鍵３の配列方向の両端及び中間部分（ブレイク部分）が支持されている。
【００４７】
尚、実施形態１のアクション１におけるウェイトレバー２８は他端側に回転ローラ３０を備えられたが、本実施形態２のウェイトレバー２８は回転ローラ３０を備えられておらず、ウェイトレバー２８の下面に鍵３との当接音を軽減するためのフェルト７０が設けられている。尚、フェルト７０の代わりにクロスやゴムであってもよい。また、ウェイトレバー２８は、その直下の鍵３の上面に設けられたレバー受けスクリュー７１に支持されるようになっている。尚、このレバー受けスクリュー７１のフェルト７０との接触部は丸みをおびた形状となっている。
【００４８】
次に、移動機構部６０は、ストッパーレール２５に固定された板状のレール支持部材５９に係合し鍵３の長さ方向にウェイトレバー２８を移動させるスライドレール６１と、スライドレール６１における上レール６２にアームピン６６を介して係合し回転軸６８を軸にＥ方向及びＥ方向の逆方向に回動するアーム６５とを備えている。
【００４９】
また、スライドレール６１は、棚板７３の上に鍵３に平行に、レール支持部材５９の下に設置されている。スライドレール６１は、上レール６２と下レール６３とによって構成され、そのうち下レール６３の方はピアノ本体に固定されている。また、上レール６２と下レール６３との間には両者の摩擦を低減されるためのベアリング（図示せず）が設けられており、上レール６２は下レール６３の上を鍵３の長手方向に沿って自在にスライドできるようになっている。そして、上レール６２のスライドに伴って上レール６２に固定されているレール支持部材５９も鍵３の長手方向に沿って移動し、この移動に伴って、ストッパーレール２５、ストッパーレール２５に取り付けられているフレンジ２７、ウェイトレバー２８が移動する。また、鍵３毎に設置され複数存在するスライドレール６１のうち、最も外側に設置されたスライドレール６１の上レール６２の手前側先端にはフレンジ６４が設けられており、フレンジ６４に設けられたアームピン６６が、アーム６５と上レール６１とを連動させている。
【００５０】
また、アーム６５は、複数存在するスライドレール６１のうちの最も外側に設置されたスライドレール６１の上レール６２にのみ取り付けられている。すなわち、アーム６５は２本存在し、アーム６５のそれぞれの一端は、棚板７３の下面に設けられた取り付け部６７において連結シャフト６８を中心にして回転可能に取り付けられており、２本のアーム６５は連結シャフト６８を介して連動する。
【００５１】
また、アーム６５の他端には、アーム６５を後側に付勢するコイルスプリング６５ｂと、このコイルスプリング６５ｂによる付勢力に抗してアーム６５を手前側に索引するためのワイヤ６５ａとが接続されている。そして、ワイヤ６５ａは、一端が固定部材６５ｃを介してアップライトピアノの側板（図示せず）に固定されたチューブ６５ｄに収納されており、チューブ６５ｄの他端に設けられた操作レバー（図示せず）を操作して所定量索引できるようにされている。
【００５２】
そして、操作レバー（図示せず）を操作してワイヤを索引すると、アーム６５を矢印Ｅの方向に回転し、上レール６２が後側（矢印Ｆに示す方向）にスライドし、そのスライドに伴ってレール支持部材５９、ストッパーレール２５、フレンジ２７及びウェイトレバー２８が後側に移動する。また、操作レバーをワイヤ６５ａを索引する前の位置に戻すと、コイルスプリング６５ｂの付勢力によってアーム６５が矢印Ｅと逆方向に回転し、上レール６２が手前側にスライドし、そのスライドに伴ってレール支持部材５９、ストッパーレール２５、フレンジ２７及びウェイトレバー２８が手前側（矢印Ｆの反対方向）に移動する。
【００５３】
以下に、前述の構成を有するアクション５１を用いて、通常演奏及び消音演奏を行う際の動作を説明する。
通常演奏時には、行う際の動作を説明する。
通常演奏時には、演奏者の鍵３対してハンマー作動部５２を接続するために、伝達切り換え機構部５における回転レバー２２の向きが図中の水平方向になるように回転レバー２２を回転し（実線で示す位置に回転する）、回転体２１の外周面がウイッペン５５の底部に当接しないように離間させ、ウイッペン６４をキャプスタンボタン５４に当接させる。
【００５４】
次いで、移動機構部６０におけるアーム６５を矢印Ｅの逆方向に回転し、ウェイトレバー２８を矢印Ｆの逆方向に移動させる。
これにより、ウェイトレバー２８が鍵３を支持する筬中２４に近づくので、演奏者の押鍵の際に、ウェイトレバー２８によって鍵３に加えられる荷重が低減するとともにウェイトレバー２８の上下方向の揺動量が低減する。また、ハンマー作動部５２の位置が通常の演奏位置になり、演奏者が鍵３を押鍵すると、鍵３の動作がキャプスタンワイヤー５３及びキャプスタンボタン５４を介してハンマー作動部５２に伝達され、ハンマー２が弦を打弦する。
【００５５】
次に、消音演奏時には、鍵３に対してハンマー作動部５２を非接続するために、伝達切り換え機構部５における回転レバー２２の向きが図中の上下方向になるように回転レバー２２を回転し（破線で示す位置に回転する）、ウイッペン５５を押し上げ、ウイッペン５５とキャプスタンボタン５４を離間させる。
【００５６】
次いで、移動機構部６０におけるアーム６５を矢印Ｅの方向に回転し、ウェイトレバー２８を矢印Ｆの方向に移動させる。
これにより、ハンマー作動部５２の位置が消音演奏の位置になり、ウェイトレバー２８が鍵３を支持する筬中２４から演奏側の逆方向（Ｆ方向）に遠ざかるので、演奏者の押鍵動作に対してウェイトレバー２８による荷重が増加する。そして、演奏者の押鍵に伴ってウェイトレバー２８が上下方向に揺動する。このとき、ウェイトレバー２８は、演奏者が鍵３を押した直後は鍵３の動きに連動して上下に揺動し、演奏者が鍵３を押しきって鍵３の運動が停止すると、その後は鍵から離れて単独に慣性運動する。この結果、ウェイトレバー２８は、回動軸２６を軸にして矢印Ｃの方向に回転し、ストッパーレール２５に当たるまで回転運動をする。そして、ウェイトレバー２８はストッパーレール２５に当たると一旦回転運動を止め、その後、ウェイトレバー２８は、重力に引かれて矢印Ｃの方向とは逆方向に、回動軸２６を軸にして他端側が鍵３の上面のスクリュー７１に接触するまで回転運動をする。
【００５７】
以下に、前記の構成を有する実施形態２のアクショ５１の作用効果を記載する。
実施の形態２のアクション５１によれば、演奏者が消音演奏する際に、移動機構部６０におけるアーム５１を回動させることによって、ウェイトレバー２８の他端が鍵３に当接する位置を自在に移動させることができるので、ウェイトレバー２８の他端が鍵３に当接して鍵３に加えられる荷重及びウェイトレバー２８の揺動量を連続的に調整することができ、グランドピアノに近いタッチ感を得ることができる。
【００５８】
以上、本発明の実施形態について説明したが、本発明は、上述した実施形態に限定されるものではなく、種々の態様を取ることができる。
例えば、実施形態１において、ウェイトレバー２８の下面に備えた延長ロッド２９をウェイトレバーに対して鍵３の長さ方向にスライドさせて固定できるものとすれば、鍵３に対してウェイトレバー２８の他端側が当接して加えられる荷重を調整できる。
【００５９】
また、実施形態１及び実施形態２において、ウエィトレバー２８は、鍵３の演奏側（図中の手前側）に回動自在な一端を配置し、鍵３の演奏側の反対側（図中の後側）に鍵３に荷重を加える他端側を配置したが、鍵３の演奏側の反対側（図中の後側）に回動自在な一端を配置し、鍵３の演奏側の（図中の手前側）に鍵３に荷重を加える他端側を配置してもよい。
【００６０】
また、実施の形態２におけるウエィトレバー２８は、実施の形態１におけるウエィトレバー２８と同様に、回転ローラ３０を他端側に備えてもよい。
また、実施の形態１において、ウエィトレバー２８の他端側に回転ローラ３０を備え、ウエィトレバー２８の他端側を回転ローラ３０を介して鍵３の上面に当接するように構成したが、回転ローラ３０を省き、例えば実施の形態２のようにウエィトレバー２８の他端側をフェルト７０を介して鍵３の上面に当接してもよい。
【００６１】
また、実施形態１において、回転レバー２２とＬ字金具３４がコントロールワイヤ６９ａを介して接続し、伝達切り換え機構部５と荷重切り換え機構部６を同時に動作させるように構成したが、コントロールワイヤ６９ａを省き、伝達切り換え機構部５と荷重切り換え機構部６がそれぞれ単独で動作するように構成してもよい。
【図面の簡単な説明】
【図１】本発明が適用された実施形態１の、グランドピアノのアクションの構成を表す側面図である。
【図２】同実施形態１のウェイトレバーの近傍を表す斜視図である。
【図３】同実施形態１の伝達切り換え機構部の構成を表す斜視図である。
【図４】本発明が適用された実施形態２の、アップライトピアノのアクションの構成を表す側面図である。
【符号の説明】１、５１…アクション、２…ハンマー、３…鍵、４，５２…ハンマー作動部、５…伝達切り換え機構部、６…荷重切り換え機構部、７…キャプスタンスクリュー、８…ウイッペンレンジ、９…ウイッペンレール、１０…ウイッペン、１０ａ…支柱、１１…長孔、１２…レピティションレバー、１３…レギュレーティングボタン、１４，６８…ジャック、１５…シャンクローラ、１６…シャンクフレンジ、１７…シャンクレール、１８…ハンマーシャンク、１９…ハンマーヘッド、２０，２６，６８…回転軸、２１…回転体、２２…回転レバー、２４…筬中、２５…ストッパーレール、２７…フレンジ、２８…ウェイトレバー、２９…延長ロッド、３０…回転ローラ、３１…錘、３２…リフティングレール、３３…突揚棒、３４…Ｌ字金具、３５…リフティングレバー、３６…フェルト、３７…ゴムキャップ、３９…ピン、５３…キャプスタンワイヤー、５４…キャプスタンボタン、５５…ウイッペン、５６…上レール、５６…センターレールフレンジ、５７…センターレール、５８…ジャック、５９…レール支持部材、６０…移動機構部、６１…スライドレール、６２…上レール、６３…下レール、６４…ウイッペン、６５…アーム、６５ａ…ワイヤ、６５ｂ…コイルスプリング、６５ｃ…固定部材、６５ｄ…チューブ、６６…アームピン、６８…連結シャフト、７０…フェルト、７１…レバー受けスクリュー、７２…アームピン、７３…棚板、７５…側板。
【図１】
2004264567.tif 000003
【図２】
2004264567.tif 000004
【図３】
2004264567.tif 000005
【図４】
2004264567.tif 000006